(57)【要約】【課題】高さ寸法が可変な包装箱の密閉性を確保する。【解決手段】包装箱１は、底面１ａと天面１ｂと四つの側面１ｃとで構成される六面体をなし、基本状態と基本状態よりも高さ寸法が縮小された縮小状態とに変形可能である。包装箱１は、四角筒状に連接された四つのパネル２と、各パネル２に連接された四つの天フラップ３と、各パネル２に設けられた山折線５と、パネル２のうち互いに対向する二つの折畳パネル２Ａに設けられた谷折線６とを備えている。山折線５は、縮小状態における高さ寸法Ｈ２，Ｈ３に対応する高さ位置で直線状に延び、折り曲げを案内する。一方、谷折線６は、パネル２同士の境界線と山折線５との交点から天フラップ３側へ斜めに延び、折り曲げを案内する。縮小状態では、山折線５が山折りされて側面１ｃと天面１ｂとの境界線になるとともに、谷折線６が谷折りされる。【選択図】図１
2020193013.tif 000002
【特許請求の範囲】
【請求項１】
底面と天面と四つの側面とで構成される六面体をなし、基本状態と前記基本状態よりも高さ寸法が縮小された縮小状態とに変形可能な包装箱であって、
四角筒状に連接され、少なくとも前記側面をなす四つの矩形状のパネルと、
夫々の前記パネルに連接され、前記天面の少なくとも一部をなす四つの天フラップと、
夫々の前記パネルに設けられ、前記縮小状態における前記高さ寸法に対応する高さ位置で直線状に延びて折り曲げを案内し、前記縮小状態で山折りされて前記側面と前記天面との境界線となる山折線と、
前記パネルのうち互いに対向する二つの折畳パネルに設けられ、前記パネル同士の境界線と前記山折線との交点から前記天フラップ側へ斜めに延びて折り曲げを案内し、前記縮小状態で谷折りされる谷折線と、を備えた
ことを特徴とする、包装箱。
【請求項２】
前記天フラップのうち前記折畳パネルに連接された折畳フラップの先端から前記折畳パネル側へ延びるとともに前記谷折線と交わり、切断を補助する切断線を備えた
ことを特徴とする、請求項１に記載の包装箱。
【請求項３】
前記天フラップのうち前記折畳パネルに連接された折畳フラップに少なくとも設けられ、前記縮小状態で前記天面から突出する余剰部の切り取りを補助する切取線を備えた
ことを特徴とする、請求項１又は２に記載の包装箱。
【請求項４】
前記パネルのうち前記折畳パネル以外の一つである折返パネルと、前記天フラップのうち前記折返パネルに連接された折返フラップとの境界線上に設けられて折り曲げを案内し、前記縮小状態で谷折りされる折返線を備えた
ことを特徴とする、請求項１〜３のいずれか一項に記載の包装箱。
【請求項５】
前記折返パネルに対向する前記パネルに連接された前記天フラップが、前記縮小状態で前記折返フラップに被さる
ことを特徴とする、請求項４に記載の包装箱。
【請求項６】
前記高さ寸法の異なる複数の前記縮小状態が設定され、
前記山折線および前記谷折線が、夫々の前記縮小状態に対応して設けられた
ことを特徴とする、請求項１〜５のいずれか一項に記載の包装箱。
【請求項７】
前記折畳パネルは、正面視で高さ方向に直交する幅方向の寸法が、他の前記パネルの前記幅方向の寸法よりも長い
ことを特徴とする、請求項１〜６のいずれか一項に記載の包装箱。
【発明の詳細な説明】
【技術分野】
【０００１】
本件は、高さ寸法が可変な包装箱に関する。
【背景技術】
【０００２】
従来、組み立て方に応じて高さ寸法が可変となるように構成された種々の包装箱が知られている。例えば、包装箱の側面をなす四つのパネルの上側に連接された四つのフラップの夫々に、高さ寸法を変更するための折罫を設けることが提案されている（特許文献１参照）。このような折罫で各フラップを折り曲げれば、包装箱の側面がパネルに加えてフラップの一部によっても構成されることから、包装箱の高さ寸法が拡大される。
【先行技術文献】
【特許文献】
【０００３】
【特許文献１】特開２００７−２７６８４５号公報
【発明の概要】
【発明が解決しようとする課題】
【０００４】
しかしながら、上述のようにフラップの一部を側面として機能させる場合、フラップ間に設けられたスリットが側面同士の角部に露出する。このため、包装箱の密閉性が低下する。よって、従来の包装箱は密閉性を確保するうえで改善の余地がある。
【０００５】
本件は、上述のような課題に鑑みて創案されたものであり、高さ寸法が可変な包装箱の密閉性を確保することを目的の一つとする。なお、この目的に限らず、後述する「発明を実施するための形態」に示す各構成から導き出される作用及び効果であって、従来の技術では得られない作用及び効果を奏することも、本件の他の目的として位置付けることができる。
【課題を解決するための手段】
【０００６】
ここで開示する包装箱は、底面と天面と四つの側面とで構成される六面体をなし、基本状態と前記基本状態よりも高さ寸法が縮小された縮小状態とに変形可能なものであって、四角筒状に連接され、少なくとも前記側面をなす四つの矩形状のパネルと、夫々の前記パネルに連接され、前記天面の少なくとも一部をなす四つの天フラップと、夫々の前記パネルに設けられ、前記縮小状態における前記高さ寸法に対応する高さ位置で直線状に延びて折り曲げを案内し、前記縮小状態で山折りされて前記側面と前記天面との境界線となる山折線と、前記パネルのうち互いに対向する二つの折畳パネルに設けられ、前記パネル同士の境界線と前記山折線との交点から前記天フラップ側へ斜めに延びて折り曲げを案内し、前記縮小状態で谷折りされる谷折線と、を備えている。
【発明の効果】
【０００７】
開示の包装箱は、各パネルが山折線および谷折線で折り曲げられることにより、基本状態よりも高さ寸法が縮小された縮小状態に変形できる。また、基本状態と縮小状態とのいずれにおいても、四角筒状に連接された四つのパネルで側面の全てが構成されるため、側面同士を連連させることができる。よって、高さ寸法が可変な包装箱の密閉性を確保できる。
【図面の簡単な説明】
【０００８】
【図１】基本状態の包装箱を示す斜視図である。
【図２】縮小状態（中状態）の包装箱を示す斜視図である。
【図３】縮小状態（低状態）の包装箱を示す斜視図である。
【図４】（ａ），（ｂ）はいずれも、包装箱を縮小状態（中状態）にする手順を説明する斜視図である。
【図５】（ａ）〜（ｃ）はいずれも、包装箱を縮小状態（低状態）にする手順を説明する斜視図である。
【図６】包装箱を展開したシート材の平面図である。
【発明を実施するための形態】
【０００９】
以下、図面を参照して、実施形態としての包装箱について説明する。なお、この実施形態はあくまでも例示に過ぎず、下記の実施形態で明示しない種々の変形や技術の適用を排除する意図はない。本実施形態の各構成は、それらの趣旨を逸脱しない範囲で種々変形して実施できる。また、必要に応じて取捨選択でき、あるいは適宜組み合わせることができる。
【００１０】
［１．構成］
［１−１．包装箱］
図１に示すように、本実施形態に係る包装箱１は、底面１ａと天面１ｂと四つの側面１ｃとで構成される六面体をなし、内部に物品（図示略）を収容するための空間を有する。以下、包装箱１が水平面に載置されており、その高さ方向ＤＨが鉛直方向（上下方向）と一致するものとして説明する。包装箱１は、天面１ｂが底面１ａよりも上方に位置するとともに、各々の側面１ｃが底面１ａ及び天面１ｂの間で上下方向に沿って延びた姿勢で配置される。なお、底面１ａ及び天面１ｂはいずれも、水平に配置されており、夫々の側面１ｃと直角をなす。
【００１１】
包装箱１は、高さ寸法が可変に構成されている。具体的には、包装箱１は、高さ寸法が最大寸法Ｈ１となる基本状態（図１参照）と、基本状態よりも高さ寸法が縮小された縮小状態（図２及び図３参照）とに変形可能である。本実施形態では、高さ寸法の異なる二つの縮小状態が設定されている。
【００１２】
以下、図２に示すように、高さ寸法が最大寸法Ｈ１よりも小さい中間寸法Ｈ２である縮小状態を「中状態」ともいい、図３に示すように、高さ寸法が中間寸法Ｈ２よりも小さい最小寸法Ｈ３である縮小状態を「低状態」ともいう。なお、ここでいう高さ寸法とは、高さ方向ＤＨの寸法であって、底面１ａ及び天面１ｂの高さ方向ＤＨの距離に対応する。図１に示すように、本実施形態では、最大寸法Ｈ１及び中間寸法Ｈ２の差分Ｈａ（＝Ｈ１−Ｈ２）と、中間寸法Ｈ２及び最小寸法Ｈ３の差分Ｈｂ（＝Ｈ２−Ｈ３）とが互いに等しく設定されている（Ｈａ＝Ｈｂ）。
【００１３】
以下、包装箱１の構成について詳述する。本実施形態では、段ボールシートで形成されたＡ式の包装箱１を例示する。包装箱１は、四角筒状に連接された四つの矩形状のパネル２と、各パネル２の上側に連接された四つの矩形状の天フラップ３とを備えている。隣り合うパネル２同士の境界線上と、パネル２及び天フラップ３の境界線上との夫々には、折り曲げを案内する溝（スジ押し）で形成された罫線Ｌが設けられる。
【００１４】
パネル２は、上述の六面体のうちの少なくとも側面１ｃをなす。より具体的には、パネル２は、基本状態と縮小状態とのいずれにおいても側面１ｃの全部をなし、縮小状態では側面１ｃの全部に加えて天面１ｂの一部もなす。各パネル２について正面視で高さ方向ＤＨに直交する幅方向の寸法（幅寸法）を比較すると、互いに対向する二対のうちの一方である二つのパネル２Ａの幅寸法Ｗ１は、他の二つのパネル２Ｂ，２Ｃの幅寸法Ｗ２よりも長い（Ｗ１＞Ｗ２）。以下、長い幅寸法Ｗ１をもつ二つのパネル２Ａを「長パネル（折畳パネル）２Ａ」ともいい、短い幅寸法Ｗ２をもつ二つのパネル２Ｂ，２Ｃをそれぞれ「短パネル２Ｂ，２Ｃ」ともいう。なお、長パネル２Ａの幅寸法Ｗ１は、上述の高さ寸法の差分Ｈａ，Ｈｂの二倍以上に設定される（Ｗ１＞２×Ｈａ，Ｗ１＞２×Ｈｂ）。
【００１５】
天フラップ３は、上述の六面体のうち、天面１ｂの少なくとも一部をなす。より具体的には、天フラップ３は、基本状態で天面１ｂの全部をなし、縮小状態で天面１ｂの一部をなす。本実施形態の天フラップ３は、長パネル２Ａに連接された二つの長フラップ（折畳フラップ）３Ａと、短パネル２Ｂ，２Ｃに連接された（長フラップ３Ａ以外の）二つの短フラップ３Ｂ，３Ｃとで構成されている。これらの天フラップ３は、互いに連接されておらず、互いに独立して揺動可能である。
【００１６】
なお、本実施形態の包装箱１は、パネル２の下側に連接された四つの矩形状の底フラップ４を備えている。底フラップ４は、基本状態と縮小状態とのいずれにおいても、底面１ａの全部をなす。パネル２と底フラップ４との境界線上には、折り曲げを案内する溝（スジ押し）で形成された罫線Ｌが設けられる。
【００１７】
包装箱１は、縮小状態用の構成として、山折線５，谷折線６，切断線７，切取線８及び折返線９を備えている。本実施形態では、山折線５，谷折線６，切断線７及び切取線８がいずれも、溝と切れ込みとが交互に配置されてなるリード罫で形成されている。一方、折返線９は、罫線Ｌで形成されている。
【００１８】
山折線５，谷折線６及び折返線９は折り曲げを案内するものであるのに対し、切断線７及び切取線８は切断および切り取りをそれぞれ補助するものである。このため、切断線７及び切取線８は、山折線５や谷折線６や折返線９と比べて、破断しやすく形成されることが好ましい。本実施形態の切断線７及び切取線８は、山折線５や谷折線６と比べて、リード罫における切れ込みの間隔が短く設定されることにより破断しやすく構成されている。
【００１９】
山折線５は、各パネル２に設けられる。山折線５は、具体的には、縮小状態における高さ寸法に対応する高さ位置で直線状に延びる。本実施形態では、縮小状態として中状態と低状態との二つが設定されているため、夫々の縮小状態での高さ寸法（中間寸法Ｈ２及び最小寸法Ｈ３）に対応する高さ位置に対して山折線５が設けられている。以下、中状態に対応して設けられた山折線５Ａを「上側山折線５Ａ」ともいい、低状態に対応して設けられた山折線５Ｂを「下側山折線５Ｂ」ともいう。図２に示すように、上側山折線５Ａは、中状態で山折りされ、側面１ｃと天面１ｂとの境界線となる。また、図３に示すように、下側山折線５Ｂは、低状態で山折りされ、側面１ｃと天面１ｂとの境界線となる。
【００２０】
図１に示すように、谷折線６は、長パネル２Ａに設けられる。谷折線６は、具体的には、パネル２同士の境界線（側面１ｃ同士の角部）と山折線５との交点から天フラップ３側へ斜めに（山折線５に対して傾斜して）延びている。本実施形態の谷折線６は、山折線５に対して４５°傾斜するように設けられている。谷折線６は、山折線５と同様に、夫々の縮小状態に対応して設けられる。以下、中状態に対応して設けられた谷折線６Ａを「上側谷折線６Ａ」ともいい、低状態に対応して設けられた谷折線６Ｂを「下側谷折線６Ｂ」ともいう。
【００２１】
上側谷折線６Ａは、パネル２同士の境界線と上側山折線５Ａとの交点から延びている。一方、下側谷折線６Ｂは、パネル２同士の境界線と下側山折線５Ｂとの交点から延びている。本実施形態では、上側谷折線６Ａが長パネル２Ａと長フラップ３Ａとの境界線まで延びており、下側谷折線６Ｂが上側山折線５Ａまで延びている例を示す。
【００２２】
図４（ｂ）に示すように、上側谷折線６Ａは、中状態で谷折りされ、天面１ｂ（図２参照）に沿って配置される。また、図５（ｂ）に示すように、下側谷折線６Ｂは、低状態で谷折りされ、天面１ｂ（図３参照）に沿って配置される。なお、中状態用の上側山折線５Ａ及び上側谷折線６Ａは、基本状態および低状態では折り曲げられない。同様に、低状態用の下側山折線５Ｂ及び下側谷折線６Ｂは、基本状態および中状態では折り曲げられない。
【００２３】
切断線７は、縮小状態で干渉しやすい長フラップ３Ａや長パネル２Ａの一部を重ねて配置しやすくするための構成である。切断線７は、長フラップ３Ａの先端から長パネル２Ａ側へ延び、谷折線６と交わる。本実施形態では、長パネル２Ａに設けられた上側山折線５Ａまで延びるとともに、長パネル２Ａと長フラップ３Ａとの境界線上で上側谷折線６Ａと交わる切断線７を例示する。なお、切断線７は、上側山折線５Ａに対して直角に延びている。切断線７は、各々の長フラップ３Ａに二本ずつ設けられる。
【００２４】
切取線８は、長フラップ３Ａのうち、低状態で天面１ｂから突出する余剰部〔図５（ａ）の符号Ｇ参照〕を切り取りやすくするための構成である。切取線８は、余剰部の大きさに応じて、少なくとも長フラップ３Ａに設けられる。本実施形態では、長フラップ３Ａにおける各切断線７と重複する二直線と、これらの二直線を繋ぐように長パネル２Ａと長フラップ３Ａとの境界線上に延びる一直線とで構成された略コ字状の切取線８を例示する。このように、本実施形態の切断線７と切取線８とは、部分的に重複して設けられている。切取線８は、上述の余剰部の切り取りを補助する。
【００２５】
折返線９は、低状態において、短フラップ３Ｂ，３Ｃの天面１ｂからの突出や、短パネル２Ｂ，２Ｃ及び短フラップ３Ｂ，３Ｃの干渉を回避するための構成である。折返線９は、二つの短パネル２Ｂ，２Ｃのうちの一つである折返パネル２Ｂと、この折返パネル２Ｂに連接された短フラップ３Ｂである折返フラップ３Ｂとの境界線上に設けられる。すなわち、本実施形態の折返線９は、折返パネル２Ｂと折返フラップ３Ｂとの境界線上に設けられた罫線Ｌで構成されている。なお、折返線９は、折返パネル２Ｂに設けられた山折線５と平行に延びる。
【００２６】
図３に示すように、本実施形態の折返フラップ３Ｂは、低状態において、折返パネル２Ｂから折返線９で折り返されることにより、折返パネル２Ｂの上方に重ねられる。また、短フラップ３Ｃ（折返パネル２Ｂに対向する短パネル２Ｃに連接された天フラップ３）は、低状態で折返フラップ３Ｂに被さる。
【００２７】
以下、包装箱１を縮小状態に変形させる手順を説明する。
本実施形態の包装箱１を中状態に変形させるには、図４（ａ）に示すように、まず長パネル２Ａ及び長フラップ３Ａを切断線７に沿って切断する。これにより、長パネル２Ａ及び長フラップ３Ａのうち、切断線７で挟まれる部分Ｆ（以下、「切断フラップ部Ｆ」ともいう）が、他の部分に対して揺動可能となる。
【００２８】
次いで、図４（ｂ）に示すように、各パネル２を上側山折線５Ａで山折りする。このとき、切断フラップ部Ｆ同士を折り倒して上下に重ね合わせる。また、各長パネル２Ａを上側谷折線６Ａで谷折りし、短パネル２Ｂ，２Ｃの一部（上側山折線５Ａよりも上側の部分）と短フラップ３Ｂ，３Ｃとを、切断フラップ部Ｆの上方に重ねる。これにより、包装箱１が図２に示す中状態となる。なお、本実施形態の中状態では、短フラップ３Ｂ，３Ｃ同士が部分的に重なって配置される。
【００２９】
また、本実施形態の包装箱１を低状態に変形させるには、図５（ａ）に示すように、まず長フラップ３Ａを切取線８に沿って切断し、切取線８で囲まれる部分Ｇ（余剰部）を長フラップ３Ａから取り除く。また、長パネル２Ａを切断線７に沿って切断する。これにより、長パネル２Ａのうち、切断線７で挟まれる部分Ｆ′（以下、「切断フラップ部Ｆ′」ともいう）が他の部分に対して揺動可能となる。
【００３０】
次いで、図５（ｂ）に示すように、各パネル２を下側山折線５Ｂで山折りする。このとき、切断フラップ部Ｆ′同士を折り倒して上下に重ね合わせる。また、各長パネル２Ａを下側谷折線６Ｂで谷折りし、短パネル２Ｂ，２Ｃの一部（下側山折線５Ｂよりも上側の部分）と短フラップ３Ｂ，３Ｃとを、切断フラップ部Ｆ′の上方に重ねる。
【００３１】
さらに、図５（ｃ）に示すように、折返フラップ３Ｂを折返パネル２Ｂに対して折返線９で谷折りする。すなわち、折返フラップ３Ｂが折返パネル２Ｂの上方に重なるように、折返フラップ３Ｂを折返パネル２Ｂから折り返す。その後、短フラップ３Ｃを折返フラップ３Ｂの上方に重ねる（短フラップ３Ｃを折返フラップ３Ｂに被せる）。これにより、包装箱１が図３に示す低状態となる。なお、本実施形態の低状態では、短フラップ３Ｃが折返フラップ３Ｂの略全体に重なって配置される。
【００３２】
［１−２．シート材］
図６は、包装箱１に組立可能なシート材１０の平面図（包装箱１の展開図）である。本実施形態のシート材１０は、段ボールシートで形成されている。シート材１０は、上述のパネル２に対応する四つのパネル片１２と、上述の天フラップ３に対応する四つの天フラップ片１３と、上述の底フラップ４に対応する四つの底フラップ片１４とを備えている。
【００３３】
パネル片１２は、上述の長パネル２Ａに対応する長パネル片１２Ａと、上述の短パネル２Ｂ，２Ｃにそれぞれ対応する短パネル片１２Ｂ，１２Ｃとで構成される。同様に、天フラップ片１３は、上述の長フラップ３Ａに対応する長フラップ片１３Ａと、上述の短フラップ３Ｂ，３Ｃにそれぞれ対応する短フラップ片１３Ｂ，１３Ｃとで構成される。
【００３４】
シート材１０では、四つのパネル片１２が横方向Ｄ１に連接される。本実施形態のパネル片１２は、横方向Ｄ１の一側から他側（図６では左側から右側）に向かって、長パネル片１２Ａ，短パネル片１２Ｂ，長パネル片１２Ａ，短パネル片１２Ｃの順で配置されている。なお、横方向Ｄ１の一側（図６では左側）に配置された長パネル片１２Ａには、シート材１０が包装箱１に組み立てられるときに、長パネル片１２Ａと短パネル片１２Ｃとを連結させるための貼合片１１が連接されている。
【００３５】
隣り合うパネル片１２同士の境界線上と、互いに連接された長パネル片１２Ａ及び貼合片１１の境界線上との夫々には、縦方向Ｄ２に延びる罫線Ｌが設けられる。なお、ここでいう縦方向Ｄ２とは、シート材１０の延在面に沿う方向のうち、横方向Ｄ１と直交する方向である。
【００３６】
天フラップ片１３は、各パネル片１２の縦方向Ｄ２の一側（図６では上側）に連接される。詳細には、長フラップ片１３Ａが各長パネル片１２Ａに連接され、短フラップ片１３Ｂ，１３Ｃが短パネル片１２Ｂ，１２Ｃにそれぞれ連接されている。
【００３７】
底フラップ片１４は、各パネル片１２の縦方向Ｄ２の他側（図６では下側）に連接される。底フラップ片１４は、例えば天フラップ片１３と同様な形状とされる。パネル片１２及び天フラップ片１３の境界線上と、パネル片１２及び底フラップ片１４の境界線上との夫々には、横方向Ｄ１に延びる罫線Ｌが設けられる。
【００３８】
シート材１０は、上述の山折線５，谷折線６，切断線７，切取線８及び折返線９を備えている。山折線５は、四つのパネル片１２にわたって横方向Ｄ１に延びる。また、上述の上側山折線５Ａは、上述の下側山折線５Ｂよりも縦方向Ｄ２の一側（図６では上側）に設けられる。なお、上側山折線５Ａと下側山折線５Ｂとは、互いに平行である。
【００３９】
谷折線６は、夫々の長パネル片１２Ａに設けられる。上述の上側谷折線６Ａは、長パネル片１２Ａのうち、上側山折線５Ａよりも縦方向Ｄ２の一側（図６では上側）の領域に設けられる。また、上述の下側谷折線６Ｂは、長パネル片１２Ａのうち、上側山折線５Ａと下側山折線５Ｂとの間の領域に設けられる。
【００４０】
切断線７は、長フラップ片１３Ａの先端から長パネル片１２Ａ側へ縦方向Ｄ２に延びている。切断線７は、直線状に延び、長パネル片１２Ａ及び長フラップ片１３Ａの境界線上で上側谷折線６Ａと交わる。
【００４１】
切取線８は、長フラップ片１３Ａにおいて切断線７と重複する二直線と、これらの二直線を繋ぐように長パネル片１２Ａ及び長フラップ片１３Ａの境界線上に延びる一直線とで構成された略コ字状に延びている。
【００４２】
折返線９は、短パネル片１２Ｂと短フラップ片１３Ｂとの境界線上に設けられている。上述のように、本実施形態の折返線９は、短パネル片１２Ｂと短フラップ片１３Ｂとの境界線上に設けられた罫線Ｌで構成されている。
【００４３】
［２．作用，効果］
（１）上述の包装箱１は、各パネル２が山折線５で山折りされるとともに、各長パネル２Ａが谷折線６で谷折りされることにより、基本状態よりも高さ寸法が縮小された縮小状態に変形できる。このとき、山折線５及び谷折線６の夫々が折り曲げを案内するため、変形（封緘）作業性を向上させることができる。
【００４４】
また、包装箱１では、基本状態と縮小状態とのいずれにおいても側面１ｃの全てがパネル２で構成されるため、側面１ｃ同士を連接させることができる。すなわち、四角筒状に連接された四つのパネル２で側面１ｃの全てが構成されることにより、側面１ｃ同士の角部に隙間が設けられることを回避できる。よって、基本状態だけでなく縮小状態においても密閉性を確保できる。
【００４５】
（２）上述の包装箱１は、長フラップ３Ａの先端から長パネル２Ａ側へ延びるとともに谷折線６と交わる切断線７に沿って切断されることにより、縮小状態で長フラップ３Ａ同士を重ねやすくなる。このため、縮小状態への変形作業性を更に向上させることができる。また、切断線７が切断を補助することによっても、縮小状態への変形作業性をより高められる。
【００４６】
（３）上述の包装箱１は、少なくとも長フラップ３Ａに設けられた切取線８に沿って切り取られることにより、縮小状態で天面１ｂから突出する余剰部が取り除かれる。このため、縮小状態における余剰部の突出を回避できる。また、切取線８が切り取りを補助することから、縮小状態への変形作業性をより高められる。
【００４７】
（４）上述の包装箱１は、折返パネル２Ｂと折返フラップ３Ｂとの境界線上に設けられた折返線９で谷折りされることにより、縮小状態での折返フラップ３Ｂの突出や干渉を容易に回避できる。よって、縮小状態への変形作業性をより高められる。また、パネル２と天フラップ３との境界線上に設けられる罫線Ｌを折返線９として兼用（利用）することで、罫線Ｌとは別に折返線９を設ける場合と比べて、包装箱１の構成を簡素化できる。よって、包装箱１の製造コストを抑制できる。
【００４８】
（５）縮小状態では、短フラップ３Ｃが折返フラップ３Ｂに被さるため、折返線９で折り返された折返フラップ３Ｂを、折り返されていない短フラップ３Ｃで覆い隠すことができる。よって、縮小状態における包装箱１の見栄え低下を抑制できる。このように、二つの短フラップ３Ｂ，３Ｃのうち、折返フラップ３Ｂである短フラップ３Ｂが縮小状態で下側に配置されるため、この短フラップ３Ｂと他の構成との干渉を容易に回避できる。よって、縮小状態への変形作業性を更に高められる。
【００４９】
（６）山折線５及び谷折線６が、高さ寸法の異なる複数の縮小状態（本実施形態では中状態および低状態の二つ）の夫々に対して設けられているため、包装箱１の高さ寸法を多段階に容易に変更できる。これにより、収容する物品に包装箱１の高さ寸法をより合わせやすくなるため、包装箱１の利便性をより高めることができる。
【００５０】
（７）谷折線６は、短パネル２Ｂ，２Ｃよりも幅寸法Ｗ１が長い長パネル２Ａに設けられるため、短パネル２Ｂ，２Ｃに設けられる場合と比べて、二つの谷折線６を互いに干渉させずに配置しやすくできる。よって、高さ寸法が可変な包装箱１を容易に設計できる。
【００５１】
［３．変形例］
縮小状態は、上述の中状態および低状態の二つに限定されない。高さ寸法が異なる三つ以上の縮小状態を設定し、夫々の縮小状態に対応して山折線５及び谷折線６を設けてもよい。この場合、包装箱１の高さ寸法をより細かく変更できるため、包装箱１の利便性をより高めることができる。なお、縮小状態は少なくとも一つ設定されればよい。例えば、縮小状態として上述の中状態のみが設定されてもよい（すなわち、上述の低状態が省略されてもよい）。この場合には、上述の下側山折線５Ｂ，下側谷折線６Ｂ，切取線８及び折返線９がいずれも不要となるため、包装箱１の構成をより簡素化できる。
【００５２】
谷折線６は、長パネル２Ａだけでなく、長フラップ３Ａにも設けられてもよい。また、谷折線６は、四つのパネル２のうち互いに対向する二つに設けられればよく、上述の長パネル２Ａに代えて短パネル２Ｂ，２Ｃの夫々に設けられてもよい。
【００５３】
切断線７及び切取線８は、互いに独立して（重複せずに）設けられてもよい。また、切断線７は、谷折線６と交わる位置が長パネル２Ａと長フラップ３Ａとの境界線上でなくてもよいし、長フラップ３Ａの先端から下側山折線５Ｂまで延びていてもよい。さらに、切取線８の位置は、縮小状態で天面１ｂから突出する余剰部の大きさに応じて適宜設定されればよく、例えば長フラップ３Ａから長パネル２Ａにかけて設けられてもよい。なお、包装箱１は、低状態の場合に限らず、中状態の場合に切取線８で囲まれる部分Ｇが取り除かれてもよい。
【００５４】
上述の折返線９の構成および配置は一例である。折返線９は、上述の罫線Ｌに代えて、例えばリード罫で形成されてもよい。また、折返線９は、折返パネル２Ｂ又は折返フラップ３Ｂに（折返パネル２Ｂ及び折返フラップ３Ｂの境界線からずれて）設けられてもよい。
【００５５】
上述の折返フラップ３Ｂは、低状態で短フラップ３Ｃの上方に配置されてもよい。すなわち、二つの短フラップ３Ｂ，３Ｃのうち、折返線９で折り返される折返フラップ３Ｂを、低状態で他の短フラップ３Ｃの上側に配置してもよい。この場合には、低状態で折返フラップ３Ｂが天面１ｂから突出することを容易に回避できる。
【００５６】
なお、切断線７，切取線８及び折返線９は、包装箱１から省略されてもよい。また、包装箱１及びシート材１０の材料は、段ボールシートに限定されない。
【符号の説明】
【００５７】
１      包装箱
１ａ    底面
１ｂ    天面
１ｃ    側面
２      パネル
２Ａ    長パネル（折畳パネル）
２Ｂ    短パネル（折返パネル）
２Ｃ    短パネル
３      天フラップ
３Ａ    長フラップ（折畳フラップ）
３Ｂ    短フラップ（折返フラップ）
３Ｃ    短フラップ
５      山折線
５Ａ    上側山折線
５Ｂ    下側山折線
６      谷折線
６Ａ    上側谷折線
６Ｂ    下側谷折線
７      切断線
８      切取線
９      折返線
ＤＨ    高さ方向
Ｈ１    最大寸法
Ｈ２    中間寸法
Ｈ３    最小寸法
Ｗ１    幅寸法
Ｗ２    幅寸法
【図１】
2020193013.tif 000003
【図２】
2020193013.tif 000004
【図３】
2020193013.tif 000005
【図４】
2020193013.tif 000006
【図５】
2020193013.tif 000007
【図６】
2020193013.tif 000008